【事件の表示】
　特許第３０９２２０９号「ビデオプリントシステム、ビデオプリンタ及びその制御方法」の請求項１ないし１７に係る特許に対する特許異議の申立てについて、次のとおり決定する。
【結　論】
　訂正を認める。
　特許第３０９２２０９号の請求項１ないし１７に係る特許を維持する。
【理　由】
１．手続の経緯
　特許３０９２２０９号の請求項１ないし１７に係る発明は、平成３年５月１４日に特許出願され、平成１２年７月２８日にその特許権の設定登録がなされ、その後、溝呂木寛より特許異議の申立がなされ、取消しの理由が通知され、その指定期間内である平成１３年８月１３日に訂正請求がなされたものである。
　
２．訂正の適否についての判断
（１）訂正の内容
　ア．訂正事項ａ
　　　特許請求の範囲の請求項１及び６に「再生装置とプリント装置とがデ　　　ータバスを介して接続されるビデオプリントシステムであって、」と　　　の限定を加える。
　イ．訂正事項ｂ
　　　特許請求の範囲の請求項１及び６に「前記再生装置は、」との限定を　　　加える。
　ウ．訂正事項ｃ
　　　特許請求の範囲の請求項１及び６に「前記プリント装置は、」との限　　　定を加える。
　エ．訂正事項ｄ
　　　特許請求の範囲の請求項１、６，１０及び１４に「とともに、前記デ　　　ータバスには圧縮状態の画像データと当該画像データのデータ量に関　　　するデータとが送出される」との限定を加える。
　オ．訂正事項ｅ
　　　特許請求の範囲の請求項１０及び１４に「データバスを介して」との　　　限定を加える。
　カ．訂正事項ｆ
　　　発明の詳細な説明で、段落番号【０００６】、【０００７】の記載を「【０００６】
【課題を解決するための手段】
　上記目的を達成するために、請求項１のビデオプリントシステムは、再生装置とプリント装置とがデータバスを介して接続されるビデオプリントシステムであって、前記再生装置は、プリント対象の画像情報の圧縮率を可変に設定可能で、入力された画像情報を圧縮する圧縮手段と、該圧縮手段にて圧縮された画像情報を記録する記録手段と、該記録手段より再生された画像情報を圧縮状態で送出する再生手段と、前記プリント装置は、該再生手段より送出された圧縮画像情報を受信し、一時記憶する記憶手段と、該記憶手段から圧縮された画像情報を取り込んで伸張する伸張手段と、該伸張手段により伸張された画像情報を取り込んでプリントアウトするプリント手段とを有するとともに、前記データバスには圧縮状態の画像データと当該画像データのデータ量に関するデータとが送出されることを特徴とする。
【０００７】
　請求項２のビデオプリントシステムは、請求項１に記載のビデオプリントシステムにおいて、前記圧縮手段は更に圧縮方式も選択可能であることを特徴とする。
　請求項３のビデオプリントシステムは、請求項２に記載のビデオプリントシステムにおいて、前記圧縮方式にはＤＰＣＭを含むことを特徴とする。
　請求項４のビデオプリントシステムは、請求項２又は３に記載のビデオプリントシステムにおいて、前記圧縮方式にはＪＰＥＧ圧縮を含むことを特徴とする。
　請求項５のビデオプリントシステムは、請求項１乃至４のいずれか１項に記載のビデオプリントシステムにおいて、前記再生手段と前記記憶手段との間は、データバスを介してデータ送受信することを特徴とする。
　請求項６のビデオプリントシステムは、再生装置とプリント装置とがデータバスを介して接続されるビデオプリントシステムであって、前記再生装置は、複数種類の圧縮状態から選択された圧縮状態で、入力された画像情報を圧縮する圧縮手段と、該圧縮手段にて圧縮された画像情報を記録する記録手段と、該記録手段よ粉再生された画像情報を圧縮状態で送出する再生手段と、前記プリント装置は選抜再生手段より送出された圧縮画像情報を受信し、一時記憶する記憶手段と、穣記憶手段から圧縮された画像情報を取り込んで伸張する伸張手段と、該伸張手段により伸張された画像情報を取り込んでプリントアウトするプリント手段とを有するとともに、前記データバスには圧縮状態の画像データと当該画像データのデータ量に関するデータとが送出されることを特徴とする。
　請求項７のビデオプリントシステムは、請求項６に記載のビデオプリントシステムにおいて、前記圧縮状態にはＤＰＣＭを含むことを特徴とする。
　請求項８のビデオプリントシステムは、請求項６又は７に記載のビデオプリントシステムにおいて、前記圧縮状態にはＪＰＥＧ圧縮を含むことを特徴とする。
　請求項９のビデオプリントシステムは、請求項６乃至８のいずれか１項に記載のビデオプリントシステムにおいて、前記再生手段と前記記憶手段との間は、データバスを介してデータ送受信することを特徴とする。
　請求項１０のビデオプリンタは、複数種類の圧縮状態から選択された圧縮状態で、入力された画像情報を圧縮する圧縮手段と、該圧縮手段にて圧縮された画像情報を記録する記録手段と、該記録手段より再生された画像情報を圧縮状態で送出する再生手段とを有する外部装置にデータバスを介して接続されるビデオプリンタであって、該再生手段より送出された圧縮画像情報を受信し、一時記憶する記憶手段と、該記憶手段から圧縮された画像情報を取り込んで伸張する伸張手段と、該伸張手段により伸張された画像情報を取り込んでプリントアウトするプリント手段とを有するとともに、前記データバスには圧縮状態の画像データと当該画像データのデータ量に関するデータとが送出されることを特徴とする。
　請求項１１のビデオプリンタは、請求項１０に記載のビデオプリンタにおいて、前記圧縮状態にはＤＰＣＭを含むことを特徴とする。
　請求項１２のビデオプリンタは、請求項１０又は１１に記載のビデオプリンタにおいて、前記圧縮状態にはＪＰＥＧ圧縮を含むことを特徴とする。
　請求項１３のビデオプリンタは、請求項１０乃至１２のいずれか１項に記載のビデオプリンタにおいて、前記外部装置と前記ビデオプリンタは、データバスを介して前記圧縮画像情報を送受信することを特徴とする。
　請求項１４のビデオプリンタの制御方法は、複数種類の圧縮状態から選択された圧縮状態で、入力された画像情報を圧縮する圧縮工程と、該圧縮工程にて圧縮された画像情報を記録する記録工程と、該記録工程より再生された画像情報を圧縮状態で送出する再生工程とを有する外部装置に、データバスを介して接続されるビデオプリンタの制御方法であって、該再生工程より送出された圧縮画像情報を受信し、一時記憶する記憶工程と、該記憶工程で圧縮された画像情報を取り込んで伸張する伸張工程と、該伸張工程により伸張された画像情報を取り込んでプリントアウトするプリント工程とを有するとともに、前記データバスには圧縮状態の画像データと当該画像データのデータ量に関するデータとが送出されることを特徴とする。
　請求項１５のビデオプリンタの制御方法は、請求項１４に記載のビデオプリンタの制御方法において、前記圧縮状態にはＤＰＣＭを含むことを特徴とする。
　請求項１６のビデオプリンタの制御方法は、請求項１４又は１５に記載のビデオプリンタの制御方法において、前記圧縮状態にはＪＰＥＧ圧縮を含むことを特徴とする。
　請求項１７のビデオプリンタの制御方法は、請求項１４乃至１６のいずれか１項に記載のビデオプリンタの制御方法において、前記外部装置と前記ビデオプリンタは、データバスを介して前記圧縮画像情報を送受信することを特徴とする。」と訂正する。
　
（２）訂正の目的の適否、新規事項の有無及び拡張・変更の存否
　
　ア．訂正事項ａないしｃについて　
　訂正事項ａは、特許請求の範囲の請求項１及び６に係る発明を特定する事項である「ビデオプリントシステム」を「再生装置とプリント装置とがデータバスを介して接続されるビデオプリントシステムであって、」と限定するものであって、願書に添付された図面、図２に、データ圧縮伸張部８０及びＶＴＲ部９０と、ビデオプリンタ部１４とがデータバス２６を介して接続されるビデオプリントシステム１００が記載され、また、願書に添付された明細書の段落番号［００２１］ないし［００２３］には、ビデオプリントシステム１００の情報再生処理を行う構成がデータ圧縮伸張部８０とＶＴＲ部９０であることが記載されており、訂正事項ｂは、「前記再生装置は、」と限定を加えるものであって、願書に添付された図面、図２には、情報再生処理を行う構成に含まれるデータ圧縮伸張部８０が、第１の圧縮伸張回路２３ａ及び第２の圧縮伸張回路２３ｂ（圧縮手段）を備えることが記載され、また、同図には、情報再生処理を行う構成に含まれるＶＴＲ部９０が、ヘッド４０ａ、４０ｂ（記録手段、再生手段）と、レート変換回路２８及びＰＣＭ処理回路２９（再生手段）とを備えることが記載されており、訂正事項ｃは、「前記プリント装置」と限定を加えるものであって、願書に添付された図面、図２には、ビデオプリンタ部１４が、バッファメモリ６５（記憶手段）と、第１の伸張器６８及び第２の伸張器６９（伸張手段）と、印画部７２（プリント手段）とを備えることが記載されているから、訂正事項ａないしｃは、それぞれ、特許請求の範囲の減縮を目的とした明細書の訂正に該当し、いずれも、新規事項の追加に該当せず、実質的に特許請求の範囲を拡張し又は変更するものでもない。
　
　イ．訂正事項ｄについて
　訂正事項ｄは、特許請求の範囲の請求項１，６，１０及び１４に、「とともに、前記データバスには圧縮状態の画像データと当該画像データのデータ量に関するデータとが送出される」との限定を加えるものであって、願書に添付された明細書の段落番号［００３６］には、「・・・この時この静止画情報は、圧縮モード情報と共に圧縮されたままの状態で（非圧縮モード除く）データバス２６を介し、ビデオプリンタ１４部へ転送されることになる。」と記載され、段落番号［００４６］には、「プリンタ用コントローラ６７は、「ＰＴ・ＳＴ」＝「Ｆｒｅｅ］でバッファメモリ６５に空きがあるようならば、前記ステップＳ２で発見した頭出し信号に対応する静止画データがどれほどのデータ量を有しているかを確認し、これをＤ・Ｃ（データキャパシティー）として設定する（ＳＩ２）。プリンタ用コントローラ６７は、撮像形式と圧縮モードの情報をサブコードから読み出し、図７の如く特定してもよいし、予めサブコードにｂｉｔ数として容量を記述しておいてもよい。」と記載され、段落番号［００４１］には、「・・・ビデオプリンタ部１４は、これらの情報の内画像データはＩ／Ｆ６４を介し、制御データはＩ／Ｆ６６を介してプリンタ１４側のバッファメモリ６５及びプリンタ用コントローラ６７へそれぞれ取り込む。」と記載されているから、訂正事項ｄは、特許請求の範囲の減縮を目的とした明細書の訂正に該当し、新規事項の追加に該当せず、実質的に特許請求の範囲を拡張し又は変更するものでもない。
　
　ウ．訂正事項ｅについて
　訂正事項ｅは、特許請求の範囲の請求項１０及び１４に、「データバスを介して」との限定を加えたものであって、願書に添付された図面、図２には、データ圧縮伸張部８０及びＶＴＲ部９０にデータバス２６を介して接続されるビデオプリンタ部１４が記載されているから、訂正事項ｅは、特許請求の範囲の減縮を目的とした明細書の訂正に該当し、新規事項の追加に該当せず、実質的に特許請求の範囲を拡張し又は変更するものでもない。
　
　エ．訂正事項ｆについて　
　訂正事項ｆは、上記訂正事項ａないしｅによる特許請求の範囲の訂正に伴い、訂正後の特許請求の範囲と、発明の詳細な説明の記載との整合を図るものであるから、明りょうでない記載の釈明を目的とした明細書の訂正に該当し、新規事項の追加に該当せず、実質的に特許請求の範囲を拡張し又は変更するものでもない。
　
（３）むすび
　以上のとおりであるから、上記訂正は、特許法第１２０条の４第３項において準用する平成６年法律第１１６号による改正前の特許法第１２６条第１項ただし書き、第２項及び第３項の規定に適合するので、当該訂正を認める。
　
３．特許異議の申立についての判断
（１）申立ての理由の概要
　申立人溝呂木寛は、請求項１ないし１７に係る発明は、甲第１号証（特開昭６２−１０４２５９号公報）、甲第２号証（特開平３−１６８１号公報）、甲第３号証（特開平１−２２１９８９号公報）、甲第４号証（特開平２−１４６６７号公報）記載の発明を単に組み合わせることによって当業者が容易に発明できたものであるから、特許法第２９条第２項の規定により特許を受けることができないものであり、特許法第１１３条第１項第２号の規定により取り消されるべきものである旨主張している。
　
（２）本件請求項１ないし１７に係る発明
　上記２．で示したように上記訂正が認められるから、本件請求項１ないし１７に係る発明は、上記訂正請求に係る訂正明細書の特許請求の範囲の請求項１ないし１７に記載された次のとおりのものである。
　
【請求項１】　
再生装置とプリント装置とがデータバスを介して接続されるビデオプリントシステムであって、　前記再生装置は、
　該圧縮手段にて圧縮された画像情報を記録する記録手段と、
　該記録手段より再生された画像情報を圧縮状態で送出する再生手段と、
　
前記プリント装置は、
　該記憶手段から圧縮された画像情報を取り込んで伸張する伸張手段と、
　該伸張手段により伸張された画像情報を取り込んでプリントアウトするプリント手段とを有する
とともに、　前記データバスには圧縮状態の画像データと当該画像データのデータ量に関するデータとが送出される
　【請求項２】　前記圧縮手段は更に圧縮方式も選択可能であることを特徴とする請求項１に記載のビデオプリントシステム。
　【請求項３】　前記圧縮方式にはＤＰＣＭを含むことを特徴とする請求項２に記載のビデオプリントシステム。
　【請求項４】　前記圧縮方式にはＪＰＥＧ圧縮を含むことを特徴とする請求項２又は３に記載のビデオプリントシステム。
　【請求項５】　前記再生手段と前記記億手段との間は、データバスを介してデータ送受信することを特徴とする請求項１乃至４のいずれか１項に記載のビデオプリントシステム。
　【請求項６】　
再生装置とプリント装置とがデータバスを介して接続されるビデオプリントシステムであって、　前記再生装置は、
　該圧縮手段にて圧縮された画像情報を記録する記録手段と、
　該記録手段より再生された画像情報を圧縮状態で送出する再生手段と、
　
前記プリント装置は、
　該記憶手段から圧縮された画像情報を取り込んで伸張する伸張手段と、
　該伸張手段により伸張された画像情報を取り込んでプリントアウトするプリント手段とを有する
とともに、　前記データバスには圧縮状態の画像データと当該画像データのデータ量に関するデータとが送出される
　【請求項７】　前記圧縮状態にはＤＰＣＭを含むことを特徴とする請求項６に記載のビデオプリントシステム。
　【請求項８】　前記圧縮状態にはＪＰＥＧ圧縮を含むことを特徴とする請求項６又は７に記載のビデオプリントシステム。
　【請求項９】　前記再生手段と前記記憶手段との間は、データバスを介してデータ送受信することを特徴とする請求項６乃至８のいずれか１項に記載のビデオプリントシステム。
　【請求項１０】　複数種類の圧縮状態から選択された圧縮状態で、入力された画像情報を圧縮する圧縮手段と、
　該圧縮手段にて圧縮された画像情報を記録する記録手段と、
　該記録手段より再生された画像情報を圧縮状態で送出する再生手段とを有する外部装置に
データバスを介して
　該再生手段より送出された圧縮画像情報を受信し、一時記憶する記憶手段と、
　該記憶手段から圧縮された画像情報を取り込んで伸張する伸張手段と、
　該伸張手段により伸張された画像情報を取り込んでプリントアウトするプリント手段とを有する
とともに、　前記データバスには圧縮状態の画像データと当該画像データのデータ量に関するデータとが送出される
　【請求項１１】　前記圧縮状態にはＤＰＣＭを含むことを特徴とする請求項１０に記載のビデオプリンタ。
　【請求項１２】　前記圧縮状態にはＪＰＥＧ圧縮を含むことを特徴とする請求項１０又は１１に記載のビデオプリンタ。
　【請求項１３】　前記外部装置と前記ビデオプリンタは、データバスを介して前記圧縮画像情報を送受信することを特徴とする請求項１０乃至１２のいずれか１項に記載のビデオプリンタ。
　【請求項１４】　複数種類の圧縮状態から選択された圧縮状態で、入力された画像情報を圧縮する圧縮工程と、
　該圧縮工程にて圧縮された画像情報を記録する記録工程と、
　該記録工程より再生された画像情報を圧縮状態で送出する再生工程とを有する外部装置に、データバスを介して接続されるビデオプリンタの制御方法であって、
　該再生工程より送出された圧縮画像情報を受信し、一時記憶する記憶工程と、
　該記憶工程で圧縮された画像情報を取り込んで伸張する伸張工程と、
　該伸張工程により伸張された画像情報を取り込んでプリントアウトするプリント工程とを有するとともに、
　前記データバスには圧縮状態の画像データと当該画像データのデータ量に関するデータとが送出されることを特徴とするビデオプリンタの制御方法。
　【請求項１５】　前記圧縮状態にはＤＰＣＭを含むことを特徴とする請求項１４に記載のビデオプリンタの制御方法。
　【請求項１６】　前記圧縮状態にはＪＰＥＧ圧縮を含むことを特徴とする請求項１４又は１５に記載のビデオプリンタの制御方法。
　【請求項１７】　前記外部装置と前記ビデオプリンタは、データバスを介して前記圧縮画像情報を送受信することを特徴とする請求項１４乃至１６のいずれか１項に記載のビデオプリンタの制御方法。
　
（３）刊行物等
　特許異議申立人が証拠として提出した刊行物及び取消理由通知書の取消理由で引用した刊行物には、それぞれ、以下のような発明が記載されている。
　
　ア．刊行物１：特開昭６２−１０４２５９号公報（甲第１号証）
　刊行物１には、「ディジタル化されたイメージ・データのファイリング、又は伝送装置の構成、特に大版原稿を扱う場合の一時記憶メモリ容量を減ずる装置を構成する方式に関する」（第１頁左下欄第１５行目〜第１８行目）、「従来のディジタル・イメージ・データのファイリング、又は伝送装置における構成（アーキテクチャ）は、以下、ファイリングの場合の事例により説明すれば、第２図に示すようなものがある。１は、イメージ原稿を読み取り、ディジタル信号に変換するイメージ・リーダー（以下「ＩＲ」という）、２は、ディジタル・イメージ・データ（以下「ＩＤ」という）を１ページ分蓄積するページ・メモリ（以下「ＰＭ」という）、３は、ＩＤをプリントするイメージ・プリンタ（以下「ＰＲＴ」という）、４は、ＩＤの圧縮／伸張を行う回路（以下「ＣＯＭＰ／ＤＥＣＯＭＰ」という）・・・である。」（第１頁左下欄第２０行目〜右下欄第１８行目）、「以下、本発明の一実施例を第１図に基づいて説明する。なお、従来例と同一の部材等は同一の符号を用い、その説明は省略する。９は、ＩＤの圧縮回路（以下「ＣＯＭＰ」という）、１０は、圧縮後のコード・データを一時記憶するメモリ（以下「ＭＥＭ」という）、１１は、圧縮されたＩＤを伸張する伸張回路（以下「ＤＥＣＯＭＰ」という）、１２は、伸張されたデータをＰＲＴ側又はＣＲＴ側へ出力するための切り換えスイッチ（以下「ＳＷ」という）である。次に、順に動作を述べると、IＲ１からＩＤは、ＣＯＭＰ９により圧縮されてＭＥＭ１０に蓄積される。次にこのデータは、ＤＥＣＯＭＰ１１により伸張され、ＲＣ６により解像度変換されてＶＲＡＭ７に蓄積されることによって、ＣＲＴ８に詩込み画像が確認される。・・・読み出されたデータは・・・→ＣＲＴ８により表示確認が可能であり、一方、・・・→ＰＲＴ３により印字出力も可能である。表示及び又は印字の切り換えはオペレータの操作に応じてＳＷ１２で切り換えられる。」（第２頁左下欄第２行目〜右下欄第８行目）が記載され、イメージリーダ（ＩＲ）１、イメージプリンタ（ＰＲＴ）３、外部記憶（Ｄｉｓｋ）５、解像度を変換する回路（ＲＣ）６、ビデオメモリ（ＶＲＡＭ）７、表示器（ＣＲＴ）８、圧縮回路（ＣＯＭＰ）９、一時記憶するメモリ（ＭＥＭ）１０、伸張回路（ＤＥＣＯＭＰ）１１、及び切り換えスイッチ（ＳＷ）１２を備えるディジタル・イメージ・ファイリング装置が開示されている（第１図）。また、この装置において、イメージリーダ１で読み込んだ画像をデジタル化し、圧縮して（ＣＯＭＰ９）、外部記憶媒体（Ｄｉｓｋ５）に記憶させるとともに、プリント時には、圧縮された画像データをメモリ１０に一時記憶させ、伸張した後にプリントすることが開示されている（第２頁左下欄第２行目〜右下欄第８行目）。
　
　イ．刊行物２：特開平３−１６８１号公報（甲第２号証）
　 刊行物２には、「静止画を記録媒体に記録する画像記録装置に関する」（第１頁左下欄第１５行目〜第１６行目）、「画像情報を比較的低速の記録媒体に記録する画像記録装置であって、・・・信号圧縮率を選択自在な圧縮手段とを具備し、・・・」（特許請求の範囲）、「４０は図示装置の全体を制御するシステム制御回路、４２は圧縮率ａｌ（本実施例では１／２）の圧縮器、４４は圧縮率ａ２（本実施例では１／４）の圧縮器、４６は圧縮率ａ３（本実施例では１／６）の圧縮器、４８は圧縮しない無圧縮器（即ち、圧縮率ゼロの圧縮器）である。・・・５２は・・・外部メモリ・パック５４へのデータの書込みを制御するメモリ・パック制御回路である。」（第２頁右上欄第１２行目〜左下欄第３行目）、「このような圧縮器４２、４６、４８としては、例えば以下のようにする。即ち、圧縮器４２は、ＤＰＣＭ量子化テーブル４ビットで１／２圧縮し、圧縮器４４はサブサンプリング及びＤＰＣＭ量子化テーブル４ビットで１／４圧縮し、圧縮器４６は、３画素毎の代表値をＤＰＣＭ量子化テーブル４ビットで１／６圧縮する。」（第３頁右下欄第１４行目〜第２０行目）、「上記実施例では、無圧縮器及び複数の圧縮器から選択利用して異なる圧縮処理を行なうようにしているが、圧縮率を外部制御できる高速ディジタル信号処理回路を経由するようにし、外部制御信号により、その画像圧縮率（無圧縮を含む）を切り換えるようにしてもよい。」（第４頁左上欄第１行目〜第６行目）と記載され、システム制御回路４０と、圧縮率ａｌの圧縮器４２と、圧縮率ａ２の圧縮器４４と、圧縮率ａ３の圧縮器４６と、無圧縮器４８と、圧縮器４２、４４、４６及び無圧縮器４８からのアドレス、データ及びライト信号を切り換えるスイッチ５０と備える電子スチルカメラが開示されている（第２頁右上欄第１２行目〜第１９行目）。また、この電子スチルカメラは撮影した画像を様々な圧縮率で圧縮し又は無圧縮にして、この圧縮された又は無圧縮の画像を記憶媒体に記憶することが開示されている（第３頁左上欄第１９行目〜右下欄第８行目）。
　
　ウ．刊行物３：特開平１−２２１９８９号公報（甲第３号証）
　刊行物３には、「画像信号の圧縮記録装置および伸長再生装置に関・・・する」（第１頁右下欄第１９行目〜第２頁左上欄第４行目）、「本発明はこのような要求に鑑み、画像データを圧縮符号化して記憶装置に記憶する場合に、画像データの圧縮率を選択することができ、かつ圧縮率の選択データを画像データとともに記憶装置に記憶させる画像信号の圧縮記録装置・・・を提供することを目的とする。」（第２頁左下欄第１７行目〜右下欄第３行目）、「符号化回路２６は・・・入力される画像データを符号化する。符号化は、例えば入力される画像データが第４Ｂ図に示されるような行列データである場合に、各データに所定のビット数を割り当てて行う。つまり、・・・そのブロック内において変化の多い絵柄は多くのビットを割り当て、変化の少ない絵柄は少ないビットを割り当てる。」（第４頁左上欄第２行目〜第１４行目）が記載され、「標準モード」と「高画質モード」の２つのモードを備え、撮影した画像の圧縮率を変えて、画像を記録媒体に記録することができるデジタル電子スチルカメラが開示されている（第４頁左上欄第１９行目〜左下欄第１０行目）。
　
　エ．刊行物４：特開平２-１４６６７号公報（甲第４号証）
　刊行物４には、「また、画像情報の記憶時における圧縮率の他に、検索時の伸長率、圧縮方法、階調数なども変更することができなかった。したがって、画像情報の記憶時、あるいは検索時に、ユーザの用途に合せて画像の符号化処理、復号化処理、階調数変更処理を選択することができ、柔軟なシステムとすることができるものが要望されている。」（第２頁左下欄第８行目〜第１５行目）、「第３図はこの発明の電子ファイリング装置の構成例を示すものである。すなわち、電子ファイリング装置は、・・・システムバス３０、および画像バス３２によって構成されている。」（第３頁右上欄第１５行目〜左下欄第４行目）、「圧縮伸長回路５０は、ＭＨ（Ｍｏｄiｆｉｅｄ　Ｈｕｆｆｍａｎ）方式、ＭＲ（Ｍｏｄiｆiｅｄ　ＭＲ）方式、Ｍ２Ｒ（Ｍｏｄｉｆiｅｄ　ＭＲ）方式、ＡＣＯＤＥＣ方式等を用いて、帯域圧縮、あるいは帯域伸長が行われるものである。ＡＣＯＤＥＣ方式では、第１モードとして０．２５ビット／画素、第２モードとして１．００ビット／画素、第３モードとして４．０ビット／画素の３段階で処理が可能なものである。」（第４頁左上欄第１０行目〜第１７行目）が記載され、画像の圧縮率を変更することができる圧縮伸張回路５０を備え、圧縮された画像を記憶する電子ファイリング装置が開示されている（第４頁左上欄第１０行目〜第１８行目及び第３図）。また、検索・表示時に画像の種類に応じて圧縮率や展開率、圧縮方法を変更することも開示されている（第８頁左上欄第７行目〜右上欄第１５行目）。
　
　オ．刊行物５：特開昭６２−１０１１６３号公報
　刊行物５には、スキャナコントローラに画像の圧縮機能を持たせ、圧縮データをバスを介してプリンタコントローラに転送し、プリンタコントローラで圧縮データを再生することが開示されている（第２頁右下欄第１６行目〜第３頁左上欄第１７行目及び第２図）。
　
（４）対比・判断
　ア．請求項１に係る発明について
　請求項１に係る発明は、刊行物１ないし５に記載された発明と比較すると、刊行物１ないし５に記載の発明は、何れも請求項１に係る発明を特定する事項である「データバスには圧縮状態の画像データと当該画像データのデータ量に関するデータとが送出されること」という技術事項を備えておらず、示唆もされていないし、当該事項により本件請求項１に係る発明は、画像データのデータ量に関するデータの活用により、単に圧縮画像を送出することに起因するバスの占有時間を短く出来るという効果に加えて、例えば、プリンタのバッファに、確実にデータが収まるか否かを認識しながら、画像データを送出できるという効果を奏し、また、例えば、プリンタバッファに空きが発生したことに応じて、データをバスに送出することができ、この裏を返せばプリンタのバッファに空きが無い場合には、バスを他の装置のために利用させるようにすることも可能であるという効果を奏し、さらには、ＪＰＥＧ圧縮画像では、ブロックごとに圧縮処理を行っているので、１つのブロック内の全てのデータが揃わないと、完全に伸張することができなくなるが、画像データのデータ量が認識できるので、一部のデータが欠けた不完全なデータをプリンタに格納させてしまうことを防止することが可能であり、より確実にプリント制御を行うことができるという効果を奏するものであるから、本件請求項１に係る発明が、上記刊行物１ないし５に記載の発明から容易に発明をすることができたものとはいえない。
　
　イ．請求項２ないし５に係る発明について
　請求項２ないし５に係る発明は、何れも、請求項１を直接あるいは間接に引用して、その構成を更に限定したものであるから、上記「ア．請求項１に係る発明について」と同じ理由により、上記刊行物１ないし５に記載の発明から容易に発明をすることができたものとはいえない。
　
　ウ．請求項６ないし９に係る発明について
　請求項６に係る発明は、請求項１に係る発明と同様に、発明を特定する事項である「データバスには圧縮状態の画像データと当該画像データのデータ量に関するデータとが送出されること」を備えているから、上記「ア．請求項１に係る発明について」と同じ理由により、上記刊行物１ないし５に記載の発明から容易に発明をすることができたものとはいえない。
　また、請求項７ないし９に係る発明は、何れも、請求項６を直接あるいは間接に引用して、その構成を更に限定したものであるから、上記請求項６に係る発明と同じ理由により、上記刊行物１ないし５に記載の発明から容易に発明をすることができたものとはいえない。
　
　エ．請求項１０ないし１３に係る発明について
　請求項１０に係る発明は、請求項１に係る発明と同様に、発明を特定する事項である「データバスには圧縮状態の画像データと当該画像データのデータ量に関するデータとが送出されること」を備えているから、上記「ア．請求項１に係る発明について」と同じ理由により、上記刊行物１ないし５に記載の発明から容易に発明をすることができたものとはいえない。
　また、請求項１１ないし１３に係る発明は、何れも、請求項１０を直接あるいは間接に引用して、その構成を更に限定したものであるから、上記請求項１０に係る発明と同じ理由により、上記刊行物１ないし５に記載の発明から容易に発明をすることができたものとはいえない。
　
　オ．請求項１４ないし１７に係る発明について
　請求項１４に係る発明は、請求項１に係る発明と同様に、発明を特定する事項である「データバスには圧縮状態の画像データと当該画像データのデータ量に関するデータとが送出されること」を備えているから、上記「ア．請求項１に係る発明について」と同じ理由により、上記刊行物１ないし５に記載の発明から容易に発明をすることができたものとはいえない。
　また、請求項１５ないし１７に係る発明は、何れも、請求項１４を直接あるいは間接に引用して、その構成を更に限定したものであるから、上記請求項１４に係る発明と同じ理由により、上記刊行物１ないし５に記載の発明から容易に発明をすることができたものとはいえない。
　
（５）むすび
　以上のとおりであるから、特許異議申立ての理由及び証拠によっては、本件請求項１ないし１７に係る発明の特許を取り消すことはできない。
　また、他に本件請求項１ないし１７に係る発明の特許を取り消すべき理由を発見することはできない。
　よって、結論のとおり決定する。
【異議決定日】
平成１３年１０月１７日（２００１．１０．１７）
【訂正の要旨】
　ａ．特許請求の範囲の請求項１及び６に、特許請求の範囲の減縮を目的として、「再生装置とプリント装置とがデータバスを介して接続されるビデオプリントシステムであって、」との限定を加える。
　ｂ．特許請求の範囲の請求項１及び６に、特許請求の範囲の減縮を目的として、「前記再生装置は、」との限定を加える。
　ｃ．特許請求の範囲の請求項１及び６に、特許請求の範囲の減縮を目的として、「前記プリント装置は、」との限定を加える。
　ｄ．特許請求の範囲の請求項１、６，１０及び１４に、特許請求の範囲の減縮を目的として、「とともに、前記データバスには圧縮状態の画像データと当該画像データのデータ量に関するデータとが送出される」との限定を加える。
　ｅ．特許請求の範囲の請求項１０及び１４に、特許請求の範囲の減縮を目的として、「データバスを介して」との限定を加える。
　ｆ．発明の詳細な説明で、明りょうでない記載の釈明を目的として、段落番号【０００６】、【０００７】の記載を
「【０００６】
　【課題を解決するための手段】
　上記目的を達成するために、請求項１のビデオプリントシステムは、再生装置とプリント装置とがデータバスを介して接続されるビデオプリントシステムであって、前記再生装置は、プリント対象の画像情報の圧縮率を可変に設定可能で、入力された画像情報を圧縮する圧縮手段と、該圧縮手段にて圧縮された画像情報を記録する記録手段と、該記録手段より再生された画像情報を圧縮状態で送出する再生手段と、前記プリント装置は、該再生手段より送出された圧縮画像情報を受信し、一時記憶する記憶手段と、該記憶手段から圧縮された画像情報を取り込んで伸張する伸張手段と、該伸張手段により伸張された画像情報を取り込んでプリントアウトするプリント手段とを有するとともに、前記データバスには圧縮状態の画像データと当該画像データのデータ量に関するデータとが送出されることを特徴とする。
　【０００７】
　請求項２のビデオプリントシステムは、請求項１に記載のビデオプリントシステムにおいて、前記圧縮手段は更に圧縮方式も選択可能であることを特徴とする。
　請求項３のビデオプリントシステムは、請求項２に記載のビデオプリントシステムにおいて、前記圧縮方式にはＤＰＣＭを含むことを特徴とする。
　請求項４のビデオプリントシステムは、請求項２又は３に記載のビデオプリントシステムにおいて、前記圧縮方式にはＪＰＥＧ圧縮を含むことを特徴とする。
　請求項５のビデオプリントシステムは、請求項１乃至４のいずれか１項に記載のビデオプリントシステムにおいて、前記再生手段と前記記憶手段との間は、データバスを介してデータ送受信することを特徴とする。
　請求項６のビデオプリントシステムは、再生装置とプリント装置とがデータバスを介して接続されるビデオプリントシステムであって、前記再生装置は、複数種類の圧縮状態から選択された圧縮状態で、入力された画像情報を圧縮する圧縮手段と、該圧縮手段にて圧縮された画像情報を記録する記録手段と、該記録手段よ粉再生された画像情報を圧縮状態で送出する再生手段と、前記プリント装置は選抜再生手段より送出された圧縮画像情報を受信し、一時記憶する記憶手段と、穣記憶手段から圧縮された画像情報を取り込んで伸張する伸張手段と、該伸張手段により伸張された画像情報を取り込んでプリントアウトするプリント手段とを有するとともに、前記データバスには圧縮状態の画像データと当該画像データのデータ量に関するデータとが送出されることを特徴とする。
　請求項７のビデオプリントシステムは、請求項６に記載のビデオプリントシステムにおいて、前記圧縮状態にはＤＰＣＭを含むことを特徴とする。
　請求項８のビデオプリントシステムは、請求項６又は７に記載のビデオプリントシステムにおいて、前記圧縮状態にはＪＰＥＧ圧縮を含むことを特徴とする。
　請求項９のビデオプリントシステムは、請求項６乃至８のいずれか１項に記載のビデオプリントシステムにおいて、前記再生手段と前記記憶手段との間は、データバスを介してデータ送受信することを特徴とする。
　請求項１０のビデオプリンタは、複数種類の圧縮状態から選択された圧縮状態で、入力された画像情報を圧縮する圧縮手段と、該圧縮手段にて圧縮された画像情報を記録する記録手段と、該記録手段より再生された画像情報を圧縮状態で送出する再生手段とを有する外部装置にデータバスを介して接続されるビデオプリンタであって、該再生手段より送出された圧縮画像情報を受信し、一時記憶する記憶手段と、該記憶手段から圧縮された画像情報を取り込んで伸張する伸張手段と、該伸張手段により伸張された画像情報を取り込んでプリントアウトするプリント手段とを有するとともに、前記データバスには圧縮状態の画像データと当該画像データのデータ量に関するデータとが送出されることを特徴とする。
　請求項１１のビデオプリンタは、請求項１０に記載のビデオプリンタにおいて、前記圧縮状態にはＤＰＣＭを含むことを特徴とする。
　請求項１２のビデオプリンタは、請求項１０又は１１に記載のビデオプリンタにおいて、前記圧縮状態にはＪＰＥＧ圧縮を含むことを特徴とする。
　請求項１３のビデオプリンタは、請求項１０乃至１２のいずれか１項に記載のビデオプリンタにおいて、前記外部装置と前記ビデオプリンタは、データバスを介して前記圧縮画像情報を送受信することを特徴とする。
　請求項１４のビデオプリンタの制御方法は、複数種類の圧縮状態から選択された圧縮状態で、入力された画像情報を圧縮する圧縮工程と、該圧縮工程にて圧縮された画像情報を記録する記録工程と、該記録工程より再生された画像情報を圧縮状態で送出する再生工程とを有する外部装置に、データバスを介して接続されるビデオプリンタの制御方法であって、該再生工程より送出された圧縮画像情報を受信し、一時記憶する記憶工程と、該記憶工程で圧縮された画像情報を取り込んで伸張する伸張工程と、該伸張工程により伸張された画像情報を取り込んでプリントアウトするプリント工程とを有するとともに、前記データバスには圧縮状態の画像データと当該画像データのデータ量に関するデータとが送出されることを特徴とする。
　請求項１５のビデオプリンタの制御方法は、請求項１４に記載のビデオプリンタの制御方法において、前記圧縮状態にはＤＰＣＭを含むことを特徴とする。
　請求項１６のビデオプリンタの制御方法は、請求項１４又は１５に記載のビデオプリンタの制御方法において、前記圧縮状態にはＪＰＥＧ圧縮を含むことを特徴とする。
　請求項１７のビデオプリンタの制御方法は、請求項１４乃至１６のいずれか１項に記載のビデオプリンタの制御方法において、前記外部装置と前記ビデオプリンタは、データバスを介して前記圧縮画像情報を送受信することを特徴とする。」と訂正する。
（５４）【発明の名称】
ビデオプリントシステム、ビデオプリンタ及びその制御方法
（５７）【特許請求の範囲】
　【請求項１】　
再生装置とプリント装置とがデータバスを介して接続されるビデオプリントシステムであって、
　
前記再生装置は、
　プリント対象の画像情報の圧縮率を可変に設定可能で、入力された画像情報を圧縮する圧縮手段と、
　該圧縮手段にて圧縮された画像情報を記録する記録手段と、
　該記録手段より再生された画像情報を圧縮状態で送出する再生手段と、
　
前記プリント装置は、
　該再生手段より送出された圧縮画像情報を受信し、一時記憶する記憶手段と、
　該記憶手段から圧縮された画像情報を取り込んで伸張する伸張手段と、
　該伸張手段により伸張された画像情報を取り込んでプリントアウトするプリント手段とを有する
とともに、
　前記データバスには圧縮状態の画像データと当該画像データのデータ量に関するデータとが送出される
　【請求項２】　前記圧縮手段は更に圧縮方式も選択可能であることを特徴とする請求項１に記載のビデオプリントシステム。
　【請求項３】　前記圧縮方式にはＤＰＣＭを含むことを特徴とする請求項２に記載のビデオプリントシステム。
　【請求項４】　前記圧縮方式にはＪＰＥＧ圧縮を含むことを特徴とする請求項２又は３に記載のビデオプリントシステム。
　【請求項５】　前記再生手段と前記記憶手段との間は、データバスを介してデータ送受信することを特徴とする請求項１乃至４のいずれか１項に記載のビデオプリントシステム。
　【請求項６】　
再生装置とプリント装置とがデータバスを介して接続されるビデオプリントシステムであって、
　
前記再生装置は、
　複数種類の圧縮状態から選択された圧縮状態で、入力された画像情報を圧縮する圧縮手段と、
　該圧縮手段にて圧縮された画像情報を記録する記録手段と、
　該記録手段より再生された画像情報を圧縮状態で送出する再生手段と、
　
前記プリント装置は、
　該再生手段より送出された圧縮画像情報を受信し、一時記憶する記憶手段と、
　該記憶手段から圧縮された画像情報を取り込んで伸張する伸張手段と、
　該伸張手段により伸張された画像情報を取り込んでプリントアウトするプリント手段とを有する
とともに、
　前記データバスには圧縮状態の画像データと当該画像データのデータ量に関するデータとが送出される
　【請求項７】　前記圧縮状態にはＤＰＣＭを含むことを特徴とする請求項６に記載のビデオプリントシステム。
　【請求項８】　前記圧縮状態にはＪＰＥＧ圧縮を含むことを特徴とする請求項６又は７に記載のビデオプリントシステム。
　【請求項９】　前記再生手段と前記記憶手段との間は、データバスを介してデータ送受信することを特徴とする請求項６乃至８のいずれか１項に記載のビデオプリントシステム。
　【請求項１０】　複数種類の圧縮状態から選択された圧縮状態で、入力された画像情報を圧縮する圧縮手段と、
　該圧縮手段にて圧縮された画像情報を記録する記録手段と、
　該記録手段より再生された画像情報を圧縮状態で送出する再生手段とを有する外部装置に
データバスを介して
　該再生手段より送出された圧縮画像情報を受信し、一時記憶する記憶手段と、
　該記憶手段から圧縮された画像情報を取り込んで伸張する伸張手段と、
　該伸張手段により伸張された画像情報を取り込んでプリントアウトするプリント手段とを有する
とともに、
　前記データバスには圧縮状態の画像データと当該画像データのデータ量に関するデータとが送出される
　【請求項１１】　前記圧縮状態にはＤＰＣＭを含むことを特徴とする請求項１０に記載のビデオプリンタ。
　【請求項１２】　前記圧縮状態にはＪＰＥＧ圧縮を含むことを特徴とする請求項１０又は１１に記載のビデオプリンタ。
　【請求項１３】　前記外部装置と前記ビデオプリンタは、データバスを介して前記圧縮画像情報を送受信することを特徴とする請求項１０乃至１２のいずれか１項に記載のビデオプリンタ。
　【請求項１４】　複数種類の圧縮状態から選択された圧縮状態で、入力された画像情報を圧縮する圧縮工程と、
　該圧縮工程にて圧縮された画像情報を記録する記録工程と、
　該記録工程より再生された画像情報を圧縮状態で送出する再生工程とを有する外部装置に、
データバスを介して
　該再生工程より送出された圧縮画像情報を受信し、一時記憶する記憶工程と、
　該記憶工程で圧縮された画像情報を取り込んで伸張する伸張工程と、
　該伸張工程により伸張された画像情報を取り込んでプリントアウトするプリント工程とを有する
とともに、
　前記データバスには圧縮状態の画像データと当該画像データのデータ量に関するデータとが送出される
　【請求項１５】　前記圧縮状態にはＤＰＣＭを含むことを特徴とする請求項１４に記載のビデオプリンタの制御方法。
　【請求項１６】　前記圧縮状態にはＪＰＥＧ圧縮を含むことを特徴とする請求項１４又は１５に記載のビデオプリンタの制御方法。
　【請求項１７】　前記外部装置と前記ビデオプリンタは、データバスを介して前記圧縮画像情報を送受信することを特徴とする請求項１４乃至１６のいずれか１項に記載のビデオプリンタの制御方法。
【発明の詳細な説明】
　【０００１】
　【産業上の利用分野】
　本発明は、ビデオテープに記憶された画像情報をプリントアウトするビデオプリントシステムに関する。
　【０００２】
　【従来の技術】
　従来より図１３に示すように、ビデオカメラ１０からの撮像信号をビデオプリンタ１１によりプリントアウト可能なビデオプリントシステム１が知られている。
　【０００３】
　同図に示すシステム１によるプリントアウトは、次のように行われる。まずビデオカメラ１０からの撮像信号がアナログ信号としてビデオプリンタ１１へ供給される。この供給された撮像信号すなわち動画像をディスプレイ１２にてモニターする。一方、このビデオプリンタ１１内のＡ／Ｄ変換器１１０にて前述のアナログ信号をディジタル信号に変換し、操作キー１１６により指定されたタイミングにてフィールドメモリ１１１へ所望の１画面を静止画として記憶する。なお、この記憶画面は、キー１１６の操作に基づくスイッチ１１５のスイッチング動作によりディスプレイ１２に表示させて任意に確認できる。次にフィールドメモリ１１１に記憶した情報を印画部１１４に供給し、印画部１１４によりプリントアウトの処理を行うようにしている。
　【０００４】
　【発明が解決しようとする課題】
　しかしながら従来のビデオプリントシステム１は、ビデオプリンタ１１の１枚当たりの印画に要する時間は約１分程度であり、フィールドメモリ１１１も１画面分しか備えていない。従って複数の画面をプリントするには１画面のプリントが終了するのを待って次の画面をテープ上からサーチ動作により探しだす必要があるため、操作上不便であり、利用者のプリントアウトに係る拘束時間が長いという問題があった。
　【０００５】
　そこで本発明は、上記事情に鑑みてなされたものであり、上述のような従来装置の不便さを解決し、複数の画面のプリントアウトの効率向上を図ったビデオプリントシステムを提供することを目的とする。
　【０００６】
　【課題を解決するための手段】
　上記目的を達成するために、請求項１のビデオプリントシステムは、
再生装置とプリント装置とがデータバスを介して接続されるビデオプリントシステムであって、前記再生装置は、
前記プリント装置は、
とともに、前記データバスには圧縮状態の画像データと当該画像データのデータ量に関するデータとが送出される
　【０００７】
　請求項２のビデオプリントシステムは、請求項１に記載のビデオプリントシステムにおいて、前記圧縮手段は更に圧縮方式も選択可能であることを特徴とする。
　請求項３のビデオプリントシステムは、請求項２に記載のビデオプリントシステムにおいて、前記圧縮方式にはＤＰＣＭを含むことを特徴とする。
　請求項４のビデオプリントシステムは、請求項２又は３に記載のビデオプリントシステムにおいて、前記圧縮方式にはＪＰＥＧ圧縮を含むことを特徴とする。
　請求項５のビデオプリントシステムは、請求項１乃至４のいずれか１項に記載のビデオプリントシステムにおいて、前記再生手段と前記記憶手段との間は、データバスを介してデータ送受信することを特徴とする。
　請求項６のビデオプリントシステムは、
再生装置とプリント装置とがデータバスを介して接続されるビデオプリントシステムであって、前記再生装置は、
前記プリント装置は、
とともに、前記データバスには圧縮状態の画像データと当該画像データのデータ量に関するデータとが送出される
　請求項７のビデオプリントシステムは、請求項６に記載のビデオプリントシステムにおいて、前記圧縮状態にはＤＰＣＭを含むことを特徴とする。
　請求項８のビデオプリントシステムは、請求項６又は７に記載のビデオプリントシステムにおいて、前記圧縮状態にはＪＰＥＧ圧縮を含むことを特徴とする。
　請求項９のビデオプリントシステムは、請求項６乃至８のいずれか１項に記載のビデオプリントシステムにおいて、前記再生手段と前記記憶手段との間は、データバスを介してデータ送受信することを特徴とする。
　請求項１０のビデオプリンタは、複数種類の圧縮状態から選択された圧縮状態で、入力された画像情報を圧縮する圧縮手段と、該圧縮手段にて圧縮された画像情報を記録する記録手段と、該記録手段より再生された画像情報を圧縮状態で送出する再生手段とを有する外部装置に
データバスを介して
とともに、前記データバスには圧縮状態の画像データと当該画像データのデータ量に関するデータとが送出される
　請求項１１のビデオプリンタは、請求項１０に記載のビデオプリンタにおいて、前記圧縮状態にはＤＰＣＭを含むことを特徴とする。
　請求項１２のビデオプリンタは、請求項１０又は１１に記載のビデオプリンタにおいて、前記圧縮状態にはＪＰＥＧ圧縮を含むことを特徴とする。
　請求項１３のビデオプリンタは、請求項１０乃至１２のいずれか１項に記載のビデオプリンタにおいて、前記外部装置と前記ビデオプリンタは、データバスを介して前記圧縮画像情報を送受信することを特徴とする。
　請求項１４のビデオプリンタの制御方法は、複数種類の圧縮状態から選択された圧縮状態で、入力された画像情報を圧縮する圧縮工程と、該圧縮工程にて圧縮された画像情報を記録する記録工程と、該記録工程より再生された画像情報を圧縮状態で送出する再生工程とを有する外部装置に、
データバスを介して
とともに、前記データバスには圧縮状態の画像データと当該画像データのデータ量に関するデータとが送出される
　請求項１５のビデオプリンタの制御方法は、請求項１４に記載のビデオプリンタの制御方法において、前記圧縮状態にはＤＰＣＭを含むことを特徴とする。
　請求項１６のビデオプリンタの制御方法は、請求項１４又は１５に記載のビデオプリンタの制御方法において、前記圧縮状態にはＪＰＥＧ圧縮を含むことを特徴とする。
　請求項１７のビデオプリンタの制御方法は、請求項１４乃至１６のいずれか１項に記載のビデオプリンタの制御方法において、前記外部装置と前記ビデオプリンタは、データバスを介して前記圧縮画像情報を送受信することを特徴とする。
　【０００８】
　【作用】
　請求項１のビデオプリントシステムによれば、設定された圧縮率で圧縮された圧縮画像情報が送信される。
　【０００９】
　請求項６のビデオプリントシステム、請求項１０のビデオプリンタ及び請求項１４のビデオプリンタの制御方法によれば、複数種類の圧縮状態から選択された圧縮状態で入力された画像情報が圧縮され、この圧縮画像情報がプリンタに送信される。
　【００１０】
　【実施例】
　以下に本発明の実施例を図面を参照して説明する。
　【００１１】
　図１は本発明の一実施例のビデオプリントシステム１００の概略構成図である。
　【００１２】
　本システム１００は、ＶＴＲ部９０と、ビデオカメラ２０等からのアナログ画像信号を入力可能なアナログ画像信号入力端子２０ａと、ＶＴＲ部９０からデータバス２６を介してディジタル信号又はビデオカメラ２０が出力したアナログ信号を取り込んでプリントアウトを行うビデオプリンタ部１４と、図示しないデータ圧縮伸張部８０等から概略構成される。
　【００１３】
　バッファメモリ６５は、プリンタ用コントローラ６７の制御の下に、ディジタル的に信号を入力する場合はデータバス用バッファメモリとして、アナログ動画像信号からキー入力スイッチ７６の指示タイミングで静止画像を抽出する場合は、いわゆるフレームメモリとしてを適宜切換使用することで共用する構成となっている。
　【００１４】
　前記ビデオカメラ２０は、出力したアナログ信号をＡ／Ｄ変換器６１によりディジタル信号に量子化してデータ選択器７７の他端に出力するものである。またプリンタ９１は、選択器７７の出力（画像情報）をバッファメモリ６５を介して入力するものである。
　【００１５】
　前記ＶＴＲ部９０は、ＶＴＲ本体９０ａと、キー入力スイッチ４６と、カムコーダ用コントローラ４２等を備え、画像情報を８ｍｍビデオテープ４１に記録する際に、キー入力スイッチ４６に対する入力操作によりプリント対象となる画像のプリント検索情報を記録できるようになっており、このプリント対象の画像のディジタル信号をインターフェース２７，６４及びデータバス２６を介して、データ選択器７７の一端に送出するものである。
　【００１６】
　ここで８ｍｍビデオテープ４１を例にして、ＶＴＲ本体９０ａが、各種の情報をどのようにテープ４１に記録するかを図４を参照して下方から斜め上方へ記録トラックを形成する順に沿って説明する。同図はテープ４１上への記録トラックパターンを示すものである。テープ４１に記録する情報には、同図に示すように、ＰＣＭ領域Ｅ１，ＩＮＤＥＸ領域Ｅ２及びＶＩＤＥＯ領域Ｅ３がある。
　【００１７】
　ＰＣＭ領域Ｅ１は、０．５Ｍ乃至１．５Ｍｂｐｓのデータレートにて、ディジタルデータが記録される領域である。またこの領域Ｅ１には、８ｂｉｔ乃至１６ｂｉｔ量子化のステレオ音声若しくは、フィールド／フレームのディジタル静止画情報と、これらの情報に関するサブコード情報のＩＤワード（例えば音質や画質と撮影年月日など）及びデータ再構成用のシンクとアドレス，誤り検出用のＰＱパリティ若しくは誤り訂正用のＣＲＣＣ等が記録される。
　【００１８】
　次にＩＮＤＥＸ領域Ｅ２は、基本的には上述のＰＣＭ記録と同様の技術を用い、検索用のサーチ信号と次に述べる各種の情報を記録するデータ信号とから成っている。サーチ信号は、オール「０」で通常状態，オール「１」で頭出し信号の打ち込みを意味している。データ信号はＳ（スタート・ブロック）とＥＮＤ（エンドブロック）とに挟まれて、データブロックＢＬ０乃至ＢＬ４の５ブロックが配され、各ブロックはデータワード「ＷＤ０」乃至「ＷＤ４」と「ＣＲＣＣ」とから成っている。各ワードＷＤは８ｂｉｔデータによる記録が可能なので、プリントアウトの枚数等をＩＮＤＥＸ領域Ｅ２のアフターレコーディングで設定できるように構成されている。
　【００１９】
　またＶＩＤＥＯ領域Ｅ３は、アナログ映像信号は輝度ＦＭと低域周波数変換色信号として、アナログ音声信号はモノラルＦＭ又は和差ステレオ信号（Ｌ＋Ｒ，Ｌ−Ｒ），音声多重（主，副）ＦＭとして、再生時のテープトラッキングのための４周波パイロット信号（４ｆ）を最も低い周波数帯域へ配した周波数スペクトル配置と成っている。
　【００２０】
　以上の各情報領域Ｅ１乃至Ｅ３は、独立して記録／再生が可能である。例えば、アナログ情報だけ記録したテープ４１に、後からディジタル静止画を追加記録したり、ＰＣＭ音声をアフレコしたりできる。また、撮影や編集済みのテープ４１に対して、プリントアウト用の画面指定の頭出し信号や、プリントサイズ，プリント枚数等を後から指定することも可能である。
　【００２１】
　次に本システム１００の各部の概略構成を図２を参照して更に詳細に説明する。同図は本システム１００の情報再生処理における概略構成図である。
　【００２２】
　前記データ圧縮伸張部８０は、Ａ／Ｄ変換器２１と、Ｄ／Ａ変換器６０と、ディジタル映像信号を記憶するフレームメモリ２２と、ディジタル画像信号を圧縮伸張する圧縮部としての第１の圧縮伸張回路２３ａ及び第２の圧縮伸張回路２３ｂと、モード選択回路スイッチ（ＳＷ１）２４と、スイッチ（ＳＷ５）４９と、画像信号又は静止画情報を選択可能なスイッチ（ＳＷ２）４８と、インターフェース（Ｉ／Ｆ）２５，４４とを備えている。
　【００２３】
　前記ＶＴＲ部９０のＶＴＲ本体９０ａは、入力された音声信号に所定の信号処理を施す音声処理回路３３と、入力された映像信号に所定の信号処理を施すアナログ信号処理回路３４と、４周波パイロット信号（４ｆ）を出力するトラッキングサーボ回路３８と、加算分配器３６と、画像データを所定のデータレートに変換するレート変換回路２８と、モード情報，日付け情報等をＰＣＭデータのＩＤワードとして生成するサブコードデータ生成回路３０と、このサブコードデータ生成回路３０からのモード情報等を静止画像データ（ＳＶデータ）と共にＰＣＭ領域Ｅ１へ書き込み処理をするＰＣＭ処理回路２９と、記録時に順次各情報を記録用の回転ドラム３９上に設けられたヘッド４０ａ，４０ｂへ供給し、テープ４１上へ図４の如きトラックパターンを形成し、再生時に情報内容に応じて時分割的に分配する時分割信号分配器（ＳＷ３）３７と、インデックス情報生成回路（ＩＮＤＥＸ）３５と、Ａ／Ｄ変換器７５とを備えるものである。
　【００２４】
　前記ビデオプリンタ１４は、アナログ画像信号入力端子２０ａからＡ／Ｄ変換器６１，データ選択器（ＳＷ６）７７を介して入力された画像信号又はインターフェース（Ｉ／Ｆ）６４を介して入力された画像信号を静止画像として記憶するバッファメモリ６５と、このバッファメモリ６５に記憶された静止画像データを記録時と逆のデータ伸張処理を施す伸張部としての第１の及び第２の伸張器６８，６９と、データ伸張処理が施された画像データを再生静止画情報として選択器（ＳＷ６）７０を介して記憶するフレームメモリ７１と、このフレームメモリ７１に記憶された再生静止画情報を用いてビデオプリント画を生成する印画部７２と、インターフェース（Ｉ／Ｆ）６６を介して送られた制御データ及びキー入力スイッチ７６からの選択器（ＳＷ６）７０を選択動作させるための入力信号を基にこのビデオプリンタ１４各部を制御するプリンタ用コントローラ６７等から概略構成されている。なお第１の及び第２の伸張器６８，６９，選択器（ＳＷ６）７０，フレームメモリ７１及び印画部７２等によりプリンタ９１を構成する。また前記バッファメモリ６５は、バッファメモリ６５の空き容量に関する情報をプリンタ用コントローラ６７に送るものである。プリンタ用コントローラ６７は、バッファメモリ６５からの空き容量に関する情報に基づき、バッファメモリ６５のデータ格納によるメモリ占有状態を管理できるようになっている。
　【００２５】
　以下に上記構成の実施例のビデオプリントシステム１００の作用を図を参照しながら説明する。
　【００２６】
　まず情報記録時の処理について図３を参照して説明する。ビデオカメラ２０にて撮像された画像信号は、ＶＴＲ部９０のアナログ信号処理回路３４で周知の８ミリビデオのための信号処理が施される。マイクロホン３１により集音された音声信号は、アンプ３２により増幅され音声処理回路３３により周知の８ミリビデオのための信号処理が施される。各回路３３，３４により所定の信号処理が施された画像信号と音声信号とは、周知の８ミリビデオ用のトラッキングサーボ回路３８からの４周波パイロット信号（４ｆ）が加算器３６にて加算され、前述のＶＩＤＥＯ領域Ｅ３に記録する信号として生成し、時分割信号分配器（ＳＷ３）３７へ供給される。前述のビデオカメラ２０のいわゆるオートデート機能に用いるカレンダーや時計等の情報をキー入力スイッチ４６により設定すると、これらの情報はカムコーダ用コントローラ４２に入力される。ＩＮＤＥＸ３５は、コントローラ４２の制御の下に前述のＩＮＤＥＸ領域Ｅ２へ記録する情報を生成し、時分割信号分配器（ＳＷ３）３７へ供給する。音声信号をＰＣＭ領域Ｅ１に記録する場合は、アンプ３２の出力を図示しない選択回路にて、キー入力スイッチ４６に対する操作に基づき、適宜カムコーダ用コントローラ４２が、ＰＣＭ処理回路２９への入力信号を後述の静止画情報と切替選択すればよい。
　【００２７】
　８ミリビデオのＰＣＭ処理自体は周知の技術であるので、本実施例では、説明の簡素の目的で省略してある。
　【００２８】
　ビデオカメラ２０により撮像された画像信号は、Ａ／Ｄ変換器２１にてディジタル画像信号に変換される。このディジタル画像信号はキー入力スイッチ４６により指定されるタイミング（シャッターレリーズ）又は、自動的に発生されるインターバルパルスがカムコード用コントローラ４２によりフレームメモリ２２へ伝えられ、目的とする画面の書き込みが終了した所でそのメモリ２２への書き込みを禁止し、静止画（ＳＶ）の取り込みを行う。この取り込んだ画面は通常動画像を表示している電子ビューファインダ（ＥＶＦ）４５にて、必要に応じてスイッチ（ＳＷ２）４８にて適宜選択してモニター可能である。
　【００２９】
　この静止画像データを第１の画像データ圧縮回路２３ａ及び第２の画像データ圧縮回路２３ｂへ供給し、非圧縮，生データ（圧縮１，圧縮２）の３種類の静止画像データとしてモード選択回路スイッチ（ＳＷ１）２４へ供給し、キー入力スイッチ４６の操作に基づきカムコーダ用コントローラ４２にて切替えられる。ここで選択された画像データは、データバス２６へ送出するためにＩ／Ｆ２５へ送られる。一方、カムコーダ用コントローラ４２は、先に選択されたモード情報（非圧縮，圧縮１，圧縮２の違い）をサブコードデータ生成回路３０へ送る。ＰＣＭ処理回路２９は、先述のオートデート等の日付け情報と共にＰＣＭデータのＩＤワードとして、静止画像データと共にＰＣＭ領域Ｅ１へ書き込むように処理する。
　【００３０】
　データバス２６，Ｉ／Ｆ２７を経由した上述の画像データは、レート変換回路２８にてＰＣＭ音声と同等の０．５乃至１．５Ｍｂｐｓのデータレートに変換されＰＣＭ回路２９へ供給され、先述のサブコードと共にＰＣＭ信号処理が施され、時分割信号分配器（ＳＷ３）３７へ供給される。
　【００３１】
　時分割信号分配器（ＳＷ３）３７は、図４に示す記録トラックパターンを形成すべくヘッド走査方向からＰＣＭ領域Ｅ１，ＩＮＤＥＸ領域Ｅ２，ＶＩＤＥＯ領域Ｅ３に対応し、順次ＰＣＭ情報，ＩＮＤＥＸ情報，ＶＩＤＥＯ情報を選択し、記録用の回転ドラム３９上に設けられたヘッド４０ａ，４０ｂへ供給し、テープ４１上へ図４の如きトラックパターンを形成していく。
　【００３２】
　次に情報再生時の処理について図２を参照して説明する。
　【００３３】
　テープ４１上に図４に示す如き情報トラックが形成されているとする。このトラックをサーボ回路３８にてキャプスタン１９，回転ドラム３９を制御しトラッキングしながら、この回転ドラム３９上に設けられたヘッド４０ａ，４０ｂにて記録された情報信号を検出していく。検出された信号は、時分割信号分配器（ＳＷ３）３７により情報内容に応じて時分割的にＰＣＭ領域Ｅ１，ＩＮＤＥＸ領域Ｅ２，ＶＩＤＥＯ領域Ｅ３の各情報が分配される。
　【００３４】
　ＶＩＤＥＯ領域Ｅ３の情報（アナログ信号）は、加算分配器３６により周波数スペクトル的に分割され、低い方からパイロット信号４ｆはサーボ回路３８へ、色情報ｃはアナログ信号処理回路３４へ、音声情報（ＡＦＭ）は音声処理回路３３へ、輝度情報Ｙは色情報ｃと同様にアナログ信号処理回路３４へ供給されて、各々周知の８ミリビデオの信号処理が施される。その結果、良好なトラッキングの取れた画像及び音声が出力端子７３，７４へ各々出力される。なお、画像信号は後述の静止画情報と同様にスイッチ（ＳＷ２）４８にて適宜カムコーダ用コントローラ４２にて選択的に表示可能である。他の実施例として、周知の小画面合成（Ｐｉｃｔｕｅｒ　ｉｎ　Ｐｉｃｔｕｒｅ）等の画像処理を施しても勿論かまわない。
　【００３５】
　ＩＮＤＥＸ領域Ｅ２の情報は、ＩＮＤＥＸ３５により図４に示すようなデータ群が再生され、カムコーダ用コントローラ４２に供給される。プリントアウトするための頭出しの動作は、このＩＮＤＥＸ領域Ｅ２に書き込まれているサーチ信号（ｅｘ．オール「１」のデータ）を検出するまで、先述のサーボ回路３８にてキャプスタンの高速駆動等を行い実行する。サーボ回路３８がこのサーチ信号のオール「１」を検出すると、次にＶＩＤＥＯ領域Ｅ３に設定されているプリント情報（枚数，サイズ）を読み取り、カムコーダー用コントローラ４２へ転送する。これらのデータはＩ／Ｆ４３を経由してデータバス２６へ送出され、必要に応じビデオプリンタ部１４へ取り込まれる。
　【００３６】
　ＰＣＭ領域Ｅ１の情報については、ＰＣＭ処理回路２９によりメインデータの静止画像データとサブコードデータであるＩＤワードが各々再生処理される。静止画像データは、レート変換回路２８により、音声レート（０．５ｍ乃至１．５Ｍｂｐｓ）からデータバス２６のデータレートに適合するように記録時とは逆のデータレート変換処理が施され、Ｉ／Ｆ２７を介してデータバス２６上へ送出される。この時この静止画情報は、圧縮モード情報と共に圧縮されたままの状態で（非圧縮モード除く）データバス２６を介し、ビデオプリンタ１４部へ転送されることになる。
　【００３７】
　カムコーダー用コントローラ４２は、画像モニタのために静止画情報はＩ／Ｆ２５、制御情報はＩ／Ｆ４４を介して次段の第１，第２の圧縮伸張回路２３ａ，２３ｂに伝える。
　【００３８】
　圧縮モードに応じスイッチ（ＳＷ５）４９は、非圧縮情報及び第１又は第２の伸張処理により実質的に原画像情報に伸張，復元された各々の情報を選択する。このスイッチ（ＳＷ５）４９の選択出力信号は、フレームメモリ２２上に１画面の静止画面として格納され、Ｄ／Ａ変換器６０によりビデオレートで読み出され、アナログ画像情報として先述の通り、スイッチ４８へ供給される。また、必要に応じてＥＶＦ４５等の画像モニタ装置上へ映し出す。
　【００３９】
　また、アナログ画像信号も動画像信号中の任意の画面に頭出し信号等を打ち込んで静止画面を特定することにより、Ａ／Ｄ変換器７５によりディジタルデータに変換すればディジタル静止画の非圧縮データと同等の扱いとして、プリントアウトが可能である。
　【００４０】
　以下にビデオプリンタ１４の動作について説明する。
　【００４１】
　前述のディジタル画像情報と付随する制御データ及び従来通りのアナログ画像信号入力端子２０ａから入力された一般の画像信号は、Ａ／Ｄ変換器６１にてディジタル化され１画面メモリ６２に取り込まれた静止画をＩ／Ｆ６３を介して送出された画像信号がビデオプリンタ部１４側のデータバス２６上に乗っている。ビデオプリンタ部１４は、これらの情報の内画像データはＩ／Ｆ６４を介し、制御データはＩ／Ｆ６６を介してプリンタ１４側のバッファメモリ６５及びプリンタ用コントローラ６７へそれぞれ取り込む。
　【００４２】
　このバッファメモリ６５は、データ格納によるメモリ占有状態がプリンタ用コントローラ６７により管理できるように、バッファメモリ６５の空き容量に関する情報をバッファメモリ６５からプリンタ用コントローラ６７へ送っている。第１の伸張器６８及び第２の伸張器６９は、プリンタ用コントローラ６７の制御の下に、このように一旦蓄えられた画像データに記録時と逆のデータ伸張処理を施す。選択器（ＳＷ６）７０は、データ伸張処理が施された画像データを非圧縮データと共に、再生静止画情報としてフレームメモリ７１上へ格納する。印画部７２は、プリンタ用コントローラ６７にて制御され、この静止画情報を用いてビデオプリント画を生成する。
　【００４３】
　ＶＴＲ部９０とビデオプリンタ部１４間のデータ交換を中心に自動プリント動作について、図５の動作フローチャートに従い説明する。
　【００４４】
　動作をスタートすると、サーボ回路３８は、カムコーダ用コントローラ４２の制御の下に、ビデオテープ４１についてサーチを行う（Ｓ１）。カムコーダ用コントローラ４２は、ＩＮＤＥＸ領域Ｅ２から頭出し信号が検出されたのか確認を行い（Ｓ２）、頭出し信号からオール「１」が検出されるまでサーボ回路３８にサーチ動作を続行させ、検出されればキャプスタン１９を停止し、ＹＥＳ側のステップＳ３へ進む。ここでは、プリンタ用コントローラ６７がプリンタ１４部側の動作状態の確認のため、プリンタステータス「ＰＴ・ＳＴ」を要求する。データバス２６を経由して送られたリクエストをＩ／Ｆ６６を介して受け取ったプリンタ１４側のプリンタ用コントローラ６７は、バッファメモリ６５の確認をする（Ｓ４）。プリンタ用コントローラ６７は、バッファメモリ６５から空き容量情報を受け取り、メモリ飽和か否かを確認し（Ｓ５）、飽和していればステップＳ６を進み「ＰＴ・ＳＴ」を「Ｂｕｓｙ」に設定する。まだ余裕があれば「ＰＴ・ＳＴ」を「Ｆｒｅｅ」に設定し（Ｓ７）、次に「Ｆｒｅｅ・Ｃａｐａ」をメモリ占有状態に応じて設定する（Ｓ８）。プリンタ用コントローラ６７は、このようにして設定したプリンタ部１４の状態を示す「ＰＴ・ＳＴ」情報とバッファメモリ６５の空き容量を示す「Ｆｒｅｅ・Ｃａｐａ（Ｆ・Ｃ）」情報とをデータバス２６上へ送出し、ＶＴＲ部９０側へ伝える（Ｓ９）。
　【００４５】
　ＶＴＲ部９０のカムコーダ用コントローラ４２は、「ＰＴ・ＳＴ」と「Ｆ・Ｃ」を受け取る（Ｓ１０）。「ＰＴ・ＳＴ」が「Ｂｕｓｙ」ならば（Ｓ１１）、前記ステップＳ３へ戻り、プリンタ部１４の手が空くまで待つ。
　【００４６】
　プリンタ用コントローラ６７は、「ＰＴ・ＳＴ」＝「Ｆｒｅｅ］でバッファメモリ６５に空きがあるようならば、前記ステップＳ２で発見した頭出し信号に対応する静止画データがどれほどのデータ量を有しているかを確認し、これをＤ・Ｃ（データキャパシティー）として設定する（Ｓ１２）。プリンタ用コントローラ６７は、撮像形式と圧縮モードの情報をサブコードから読み出し、図７の如く特定してもよいし、予めサブコードにｂｉｔ数として容量を記述しておいてもよい。
　【００４７】
　次にプリンタ用コントローラ６７は、Ｄ・Ｃ，Ｆ・Ｃの比較、つまりプリンタ部１４側のバッファメンモリ６５の空き容量と、これからＶＴＲ部９０側から送出しようとする画像データ量とのどちらが多いかを比べる（Ｓ１３）。プリンタ１４側のメモリ余裕が足りなければ、前記ステップＳ３へ戻り、余分なバッファメモリ６５の空きが発生するまで待つ。逆にＹＥＳの場合は、前記ステップＳ１２で確認した画像データの再生を行い（Ｓ１４）、順次データバス２６上へ画像データの送出を行う（Ｓ１５）。
メモリ６５の空きが発生するまで待つ。逆にＹＥＳの場合は、前記ステップＳ１２で確認した画像データの再生を行い（Ｓ１４）、順次データバス２６上へ画像データの送出を行う（Ｓ１５）。
　【００４８】
　プリンタ用コントローラ６７は、Ｉ／Ｆ６４を介して画像データを取り込み（Ｓ１６）、バッファメモリ６５へその画像データを書き込む（Ｓ１７）。次にプリンタ用コントローラ６７は、データ転送をチェックし（Ｓ１８）、終了するとメモリ書き込み動作が終了した旨をＶＴＲ部９０側へバスライン２６を介して知らせる（Ｓ１９）。カムコーダ用コントローラ４２は、これを受けデータ転送終了と判断すると（Ｓ２０）、次の頭出し信号のサーチ指示の有無をカムコーダ用コントローラ４２が確認し、残りの「ＪＯＢ」があればサーチの前記ステップＳ１へ戻り、同様に処理を続行し、「ＥＮＤｏｆＪＯＢ」であれば、ＹＥＳ側へ進みエンドとなる。
　【００４９】
　ビデオプリンタ部１４側の動作について、図６に示す動作フローチャートに従い説明する。
　【００５０】
　プリンタ用コントローラ６７は、バッファメモリ６５からの静止画データを適宜伸張処理を施し、フレームメモリ７１上へ展開した形で取り込む（Ｓ６０）。プリンタ側コントローラ６７は、Ｉ／Ｆ６６を介しプリントアウトの条件設定のデータ（印画サイズや枚数等）を取り込む（Ｓ６１）。プリント枚数カウンタＮを“０”にリセットする（Ｓ６２）。前記ステップＳ６１にて取り込んだ印画枚数をＰへセットする（Ｓ６３）。印画処理を開始し、１枚分プリントして次のステップへ進む（Ｓ６４）。カウンタＮを“＋１”インクリメントする（Ｓ６５）。印画済の枚数Ｎが必要枚数Ｐに達したか判定し（Ｓ６６）、ＮＯならば前記ステップＳ６４へ戻り、更にプリントアウト処理を続行し、ＹＥＳならば前記ステップＳ６６へ進む。プリントアウト終了した静止画像データの元データ（圧縮データ）をバッファメモリ６５から削除する（Ｓ６７）。
　【００５１】
　前記ステップＳ６７にて削除後に、まだ印画すべき静止画像データが残っているか判定し（Ｓ６８）、未処理データが残っていれば前記ステップＳ６０へ戻り、バッファメモリ６５が空になれば、一連の処理を終了する。
　【００５２】
　図７に画像データの圧伸方法と撮像形式の組み合わせによる設定し得るモードの例をいくつか示す。撮像形式はＮＴＳＣ（又はＰＡＬ）のフィールド撮影とフレーム撮影及び走査線数が約倍増された、いわゆるハイビジョンＴＶのフィールドとフレームを設定する。圧縮式としては、空間間引きのサブサンプルや量子化操作のＤＰＣＭやブロック符号化直交変換のＤＣＴ，ＪＰＥＧ等が利用可能である。同図は上記の組合わせをモードとしてｍｏｄｅ１乃至ｍｏｄｅ１６の４ｂｉｔで表現可能なものとして例示したものである。
　【００５３】
　ＨＤフレーム画の非圧縮情報を基準として、これが１画面分だけ格納可能なバッファメモリを想定して、上述のｍｏｄｅ１乃至ｍｏｄｅ１６に対応したデータ量と、メモリヘの格納枚数を概算した結果を図８に示す。このようにｍｏｄｅによっては、数枚乃至数１０枚の静止画データを同一のバッファメモリ６５に格納可能であることが判る。バッファメモリ６５の記憶容量を非圧縮の画像データ１枚分としてその具体例を図９乃至図１２に示す。同図中「Ａ」は、非圧縮（１／１），「Ｂ」，「Ｃ」は１／２圧縮，「Ｄ」乃至「Ｇ」は１／４圧縮の画像データを示す。「Ａ」で示す画像データは図９に示すように、「Ｂ」及び「Ｃ」で示す画像データは図１０に示すように、「Ｄ」乃至「Ｇ」で示す画像データは図１１に示すように、「Ｂ」，「Ｄ」及び「Ｅ」で示す画像データは図１２に示すようにバッファメモリ６５に格納される。
　【００５４】
　このような上記実施例によれば、ビデオプリンタ部１４のバッファメモリ６５にＶＴＲ部９０又はビデオカメラ２０から転送された画像データを一端記憶させる際に、圧縮率に応じて圧縮して記憶するようにしているので、画像記憶量を増加でき、これにより複数の画面のプリントアウトの効率向上が図れる。
　【００５５】
　またＶＴＲ部９０側からプリンタ部１４側へ画像データを転送するに当り、プリンタ部１４側の動作状態を確認し、プリンタ状態に応じてＶＴＲ部９０のサーチ動作を制御可能としたことで、予めビデオテープ４１上にプリント検索情報を記録しておけば、複数種の画面を（プリント動作が終了次第）順次サーチして自動的にプリント処理を行うビデオプリンタシステムが実現可能である。
　【００５６】
　なお、本発明は上記実施例に限定されず、その要旨を変更しない範囲内で種々に変形実施可能である。
　【００５７】
　以上説明した実施例においては媒体としてテープ状のものを挙げたがこれに限らずディスク状であってもよいし、他の形態例えば固体メモリであってもよい。
　又本実施例ではビデオ信号としてテレビジョン信号を例に挙げたがこれに限らず電子ファイル等の静止画像であってもよい。
　【００５８】
　【発明の効果】
　以上詳細に説明したように、請求項１のビデオプリントシステムによれば、設定された圧縮率で圧縮された圧縮画像情報を送信するので、データ転送速度を速くできると共に一時記憶する記憶手段（バッファメモリ６５）へ格納できる画面枚数を増加でき、プリントアウトの効率向上を図ることができる。また、データバスの占有時間も少なくて済み、プリント処理全体の処理効率が向上する。
　また、請求項６のビデオプリントシステム、請求項１０のビデオプリンタ及び請求項１４のビデオプリンタの制御方法によれば、複数種類の圧縮状態から選択された圧縮状態で入力された画像情報を圧縮し、この圧縮画像情報をビデオプリンタに送信するので、例えば選択された圧縮方式に応じた圧縮画像を送信することができ、且つデータ転送速度を速くできると共に一時記憶する記憶手段（バッファメモリ６５）へ格納できる画面枚数を増加でき、プリントアウトの効率向上を図ることができる。また、データバスの占有時間も少なくて済み、プリント処理全体の処理効率が向上する。
　【００５９】
　複雑で時間のかかるプリント作業を自動化できるので、家庭内でのビデオプリント文化の普及促進が図れる。更には、現在の写真ＤＰＥシステム的に外部のプリントラボヘの展開に際しても、印画の自動化は好都合であり、より高画質の業務用プリンタサービス店へプリントアウト情報を打ち込んだビデオテープを持ち込むという電子写真ＤＰＥ文化の創出も可能になるという多大な効果を有する。プリンタ部１４側のバッファメモリ６５へのデータ転送を圧縮状態にて行うので、データ転送速度が早く、バッファメモリ６５へ格納できる画面枚数が増大し、プリンタ部１４側の動作中に発生するビジー状態による作業の停滞が発生しにくくなるという、処理時間全体を短縮する効果を有する。
　つまり、例えば、１度にビデオプリンタに格納させることができる画像の枚数を増やせる。また、画像情報を圧縮しない場合に比べて、バスの占有時間も短くて済み、全体の処理時間を短縮することができる。また、特にデータ転送に要する時間そのものも短縮することができる。
【図面の簡単な説明】
　【図１】
　本発明の一実施例のビデオプリントシステムの概略構成図である。
　【図２】
　本発明の一実施例のビデオプリントシステムの情報再生時における概略構成図である。
　【図３】
　本発明の一実施例のビデオプリントシステムの情報記録時における概略構成図である。
　【図４】
　８ｍｍビデオテープ上への記録トラックパターンを示す図である。
　【図５】
　本発明の一実施例のビデオプリントシステムの作用を示すフローチャートである。
　【図６】
　本発明の一実施例のビデオプリントシステムの作用を示すフローチャートである。
　【図７】
　画像データの圧伸方法と撮像形式の組み合わせによる設定し得るモード例を示す図である。
　【図８】
　圧縮モードとデータ量の関係を示す図である。
　【図９】
　図１に示すバッファメモリヘの記憶態様を示す図である。
　【図１０】
　図１に示すバッファメモリヘの記憶態様を示す図である。
　【図１１】
　図１に示すバッファメモリヘの記憶態様を示す図である。
　【図１２】
　図１に示すバッファメモリヘの記憶態様を示す図である。
　【図１３】
　従来のビデオプリントシステムの概略構成図である。
　【符号の説明】
１４　ビデオプリンタ
２３ａ　第１の圧縮伸張回路（圧縮部）
２３ｂ　第２の圧縮伸張回路（圧縮部）
６５　バッファメモリ（記憶部）
６８　第１の伸張器（伸張部）
６９　第２の伸張器（伸張部）
１００　ビデオプリントシステム